(57)【特許請求の範囲】
【請求項１】
電動機を内蔵する本体と、前記本体上に配置され、前記電動機により回転駆動される分離籠と、前記電動機により回転するカッターを有し、前記電動機は上側ブラケットと下側ブラケットとを有し、前記上側ブラケットは弾性体を介して前記本体にて支持され、前記電動機の前記下側ブラケットは、防振材により上下及び水平方向で前記本体の支持体に支持され、前記電動機の前記下側ブラケットの上下方向防振材、及び水平方向防振材の少なくともどちらか一方の支持位置は、前記電動機が前記上側ブラケットの前記弾性体の支持位置のいずれか２点を軸として前記分離籠の偏心力によって外側に動かないように、前記上側ブラケットの支持位置を鉛直方向に下側に投影した位置の間に配置するように構成したことを特徴とするジューサー。
【請求項２】
電動機の下側ブラケットの水平方向防振材を環状に形成し、前記水平方向防振材より突出させたリブにより本体の支持体に部分的に当接させた請求項１記載のジューサー。
【発明の詳細な説明】
【０００１】
【発明の属する技術分野】
本発明は野菜、果物類よりジュースを絞るジューサーに関するものである。
【０００２】
【従来の技術】
従来のこの種のジューサーは図９に示すように電動機３により回転駆動される分離籠１とカッター２で食品を切削し、分離籠１でジュースと粕に分離するもので、電動機３は上側ブラケット１１で振動を伝えないように弾性体４を介在して揺動自在に本体５に支持される構成をしていた。
【０００３】
【発明が解決しようとする課題】
しかしながら上記従来の構成では、分離籠に回転不釣り合いに粕が滞留した場合、分離籠が外側に振られ、分離籠と回転軸線が同一である電動機が上側ブラケットの支持部分にある弾性体を軸にして分離籠と反対方向に振られるため、振動が発生して本体に伝わり、全体が振動する問題があった。
【０００４】
また、カッターの下部に位置する電動機は、食材を切削する際にカッターと同じ下側に押す力を受けるため下側に動き、同一線上にある分離籠の回転軸を傾けてしまい、切削粕が分離籠に不均一に付着することで回転不安定を誘発し、本体を振動させる原因となる問題があった。
【０００５】
【課題を解決するための手段】
本発明は上記課題を解決するため、電動機の上側ブラケットを弾性体を介して本体にて支持、下側ブラケットを防振材により上下及び水平方向で本体の支持体に支持され、上記電動機の下側ブラケットの上下方向防振材、及び水平方向防振材の少なくともどちらか一方の支持位置は、前記電動機が前記上側ブラケットの前記弾性体の支持位置のいずれか２点を軸として前記分離籠の偏心力によって外側に動かないように、前記上側ブラケットの支持位置を鉛直方向に下側に投影した位置の間に配置するように構成したものである。
【０００６】
上記構成により、分離籠に回転不釣り合いに粕が滞留した場合に分離籠と同一回転軸上にある電動機の振動を抑え込むことで、振動の発生源であり回転体である分離籠自体の振動を抑制し、またカッターから電動機に掛かる下側の力を支えることにより、分離籠と電動機の回転軸を垂直に保ち、本体に振動が発生することを抑え込むことができる。さらに、この構成により、電動機は上側ブラケットの支持部分にある弾性体を軸に、すなわち上側ブラケットの支持位置のいずれか２点間を軸として分離籠と反対方向に振動しようとするので、この間に下側のブラケットの防振材を配置することで振動を有効に抑制することができる。
【０００７】
【発明の実施の形態】
上記課題を解決するために請求項１記載の発明は、電動機を内蔵する本体と、前記本体上に配置され、前記電動機により回転駆動される分離籠と、前記電動機により回転するカッターを有し、前記電動機は上側ブラケットと下側ブラケットとを有し、前記上側ブラケットは弾性体を介して前記本体にて支持され、前記電動機の前記下側ブラケットは、防振材により上下及び水平方向で前記本体の支持体に支持され、前記電動機の前記下側ブラケットの上下方向防振材、及び水平方向防振材の少なくともどちらか一方の支持位置は、前記電動機が前記上側ブラケットの前記弾性体の支持位置のいずれか２点を軸として前記分離籠の偏心力によって外側に動かないように、前記上側ブラケットの支持位置を鉛直方向に下側に投影した位置の間に配置するように構成したものである。
【０００８】
この構成により、分離籠に回転不釣り合いに粕が滞留して分離籠が振動しようとしても、同一回転軸上にある電動機が上側ブラケットと下側ブラケットで水平方向に抑えられているので、水平方向に振れようとする分離籠を、回転軸を通して抑え込み、またカッターから電動機に掛かる下側の力を支えることで、分離籠と電動機の回転軸を垂直に保つように働き、分離籠を安定した状態で回転させるようにできる。
【０００９】
さらに、この構成により、電動機は上側ブラケットの支持部分にある弾性体を軸に、すなわち上側ブラケットの支持位置のいずれか２点間を軸として分離籠と反対方向に振動しようとするので、この間に下側のブラケットの防振材を配置することで振動を有効に抑制することができる。
【００１０】
【実施例】
以下、本発明の実施例について図面を用いて説明する。
【００１１】
（実施例１）
図１・図２において、減速機６を介して分離籠１とカッター２を回転駆動させる電動機３は、上側ブラケット１１で天然ゴム等の反発材を使用した弾性体１２を介して柔らかく揺動自在な状態で本体５に支持されている。弾性体１２は、ビス１３で本体５に固定されている。電動機３の下側ブラケット１４の下部外周には環状にリブ１４ａを形成してある。また底板１５には、ブラケット環状リブ１４ａとほぼ同心にオーバーラップするように底板環状リブを本体の支持体１５ａとして形成してある。
【００１２】
無反発材であるブチルゴム等で形成された上下方向防振材１６は、底板環状リブとした本体の支持体１５ａの上面で下側ブラケット１４との間に配置してある。一方、無反発材であり、吸振材でもある発泡体等で形成された水平方向防振材１７は、上側ブラケット１１の支持位置を鉛直方向に下側に投影した位置の間にあり、下側ブラケット１４のブラケット環状リブ１４ａと底板環状リブとした本体の支持体１５ａの隙間に配置してある。また、分離籠１の外側には密閉された蓋１８が設けられ、蓋１８の下部には、容器１９が本体５の上に設けられている。
【００１３】
上記実施例における作用について説明する。まず電動機３に通電すると、減速機６を通して適正回転で分離籠１とカッター２を回転させる。食材２０が押し棒２１によりカッター２に押し当てられ、切削粕２２が分離籠１に飛散・滞留し、切削粕２２に含まれたジュースが外側の蓋１８に飛散し、容器１９に溜められる。
【００１４】
次に、回転不釣り合いに分離籠１に切削粕２２が滞留した場合について説明する。この場合は分離籠１の回転で切削粕２２の不釣り合い部分に働くモーメントにより分離籠１は外側に向けて偏心力を受ける。また、電動機３は同一回転軸上に減速機６を通じて連結してあるため、柔らかく揺動自在に支持している上側ブラケット１１の弾性体１２の支持位置のいずれか２点を軸として、前記偏心力により分離籠１と反対方向の外側に押される力を受ける。
【００１５】
しかし、水平方向防振材１７が電動機３のブラケット環状リブ１４ａと底板環状リブとした本体の支持体１５ａの間で下側ブラケット１４を無反発に支持しているので電動機３は偏心力によって外側に動かない。こうして電動機３は回転軸を垂直のままに保って回転を行い、その間に分離籠１内の切削粕２２のジュースが分離され、切削粕２２が軽くなり、偏心力は減少し、分離籠１の回転によるジャイロ効果で分離籠１の回転は正常に戻り、全体の振動を低減することができる。
【００１６】
また、食材２０を押し込み棒２１でカッター２に押し当てるため、その下部に位置する電動機３も下側に押されるが、上下方向防振材１６により支持されることで電動機３の上下変動により発生する回転軸の傾斜が抑えられ、切削粕の回転不釣り合いな付着を抑えることができ、全体の振動発生を抑制することができる。
【００１７】
（実施例２）
図３・図４は、水平方向防振材３１を環状に形成すると共に、肉盗み３２を有するリブ３３を設けて底板環状リブとした本体の支持体１５ａに部分的に当接するように形成したものである。
【００１８】
この実施例の場合、通常の回転・切削状態における電動機３自体が起こす振動は水平方向防振材３１をリブ３３で本体の支持体１５ａである底板環状リブに柔らかく当接させて吸振構造とする事で遮断できる。
【００１９】
また、分離籠１が回転不釣り合いになった場合でも水平方向防振材３１のリブ３３が肉盗み３２を設けてあるため、緩衝材となって電動機３を受け止め、振動の発生を抑制することができる。
【００２０】
（実施例３）
図５・図６の実施例は、水平方向と上下方向を一体構成した防振材４１を、電動機３の下側ブラケット１４の内部にある給排気用のファン４２の外周であるブラケット環状リブ１４ａに取り付け、本体の支持体１５ａである底板環状リブに当接するように配置したものである。
【００２１】
この実施例の場合、水平方向と上下方向の防振材を一体に構成することで、組立性の向上を図ると共に、給排気の場合では、電動機３の給排気が防振材４１による煙突効果で確実に給排気される。また、発泡体やブチルゴム等の防振材の吸音効果で、給排気用ファンの風切り音の低減ができる。
【００２２】
なお図７・図８は、前記までの実施例が電動機３の下側ブラケット１４の下部外周に設けた環状リブ１４ａに取り付けたものであるのに対し、防振材５１を底板１５に設けた本体の支持体１５ａである底板環状リブに取り付けたものである。
【００２３】
この場合、防振材５１の水平方向防振材部分５２は肉盗み５３を有するリブ５４を設けて電動機３の下側ブラケットの環状リブ１４ａに部分的に当接するように形成してある。
【００２４】
このように防振材は、電動機３及び本体の支持体１５ａである底板環状リブのどちらに取り付ける構成としても、本発明の目的を達成できるものである。
【００２５】
【発明の効果】
上記実施例から明らかなように、本発明によれば、分離籠に切削粕が回転不釣り合いに滞留しても分離籠の振動を抑え、円滑に切削作業を行うことができるジューサーを提供するものである。
【図面の簡単な説明】
【図１】  本発明の実施例１を示すジューサーの断面図
【図２】  本発明の実施例１を示すジューサーの要部断面図
【図３】  本発明の実施例２を示すジューサーの断面図
【図４】  本発明の実施例２を示すジューサーの要部拡大図
【図５】  本発明の実施例３を示すジューサーの断面図
【図６】  本発明の実施例３を示すジューサーの要部拡大図
【図７】  本発明の実施例３の展開例を示すジューサーの要部断面図
【図８】  本発明の実施例３の展開例を示すジューサーの要部拡大図
【図９】  従来のジューサーの断面図
【符号の説明】
１  分離籠
２  カッター
３  電動機
４、１２  弾性体
５  本体
１１  上側ブラケット
１４  下側ブラケット
１５ａ  本体の支持体
１６  上下方向防振材
１７、３１  水平方向防振材
３３、５４  リブ
４１、５１  防振材
４２  給排気用ファン
【図１】
0004654483.tif 000002
【図２】
0004654483.tif 000003
【図３】
0004654483.tif 000004
【図４】
0004654483.tif 000005
【図５】
0004654483.tif 000006
【図６】
0004654483.tif 000007
【図７】
0004654483.tif 000008
【図８】
0004654483.tif 000009
【図９】
0004654483.tif 000010